(57)【要約】【課題】押圧用構成がシンプルで、組立てが簡単である押出し容器を提供する。【解決手段】容器１は、その上端２ａが上向きに開口し、下端２ｂが閉塞されて流動性内容物を入れることができる収容空間２２を画成した有底筒状である胴部２を有し、プレス機構３は、容器の開口２２１より胴部内に密閉かつ上下摺動可能に嵌合させたプレス本体３０を有し、該プレス本体３０の上側に押圧して下動可能な押圧面３２１が設けられ、該押圧面と所定の間隔をおいて設けられプレス機構の上下動により変形可能な変形面３１２を有し、押圧面及び変形面の間に、押圧面と変形面とを連結するロッド３０１が設けられ、押圧面３２１が下降すると、ロッド３０１を介して変形面が変形して中央部が下降し、胴部２内の内容物が推されて吐出ポートを経て内容物を吐出させることができる。【選択図】図４
2012012111.tif 000002
【特許請求の範囲】
【請求項１】
容器の上部を押すとプレス機構の上下動により吐出ポートを介して該容器内に入った流動性内容物を外部に吐出させる押出し容器であって、
前記容器は、その上端が上向きに開口し、下端が閉塞されて流動性内容物を入れることができる収容空間を画成した有底筒状である胴部を有し、
前記プレス機構は、前記容器の開口より前記胴部内に密閉かつ上下摺動可能に嵌合させたプレス本体を有し、該プレス本体の上側に押圧されて下動可能な押圧面が設けられ、該押圧面と所定の間隔をおいて設けられ前記プレス機構の上下動により変形可能な変形面を有し、前記押圧面及び前記変形面の間に、前記押圧面と前記変形面とを連結するロッドが設けられ、
前記押圧面が下降すると、前記ロッドを介して前記変形面が変形して中央部が下降し、前記胴部内の内容物が推されて前記吐出ポートを経て前記内容物を吐出させることができるようになっていることを特徴とする押出し容器。
【請求項２】
前記プレス機構は、前記胴部内に密閉かつ上下摺動可能に嵌合させた摺動壁が更に設けられ、該摺動壁が前記変形面の周縁部と連接されて、前記押圧面の周縁部と所定の摺動距離をおいて前記押圧面側に延伸されてなり、
前記変形面が変形しないとき、その中央部と周縁部とが、それぞれの上下方向に直角の左右方向の水平面より前記摺動距離より大きい曲げ距離だけ離れるように前記変形面が上向きに弧状に湾曲していることを特徴とする請求項１に記載の押出し容器。
【請求項３】
前記胴部の上端に一時係止されることができると共に前記プレス機構と連動して上下動可能に設けられたキャップを更に有することを特徴とする請求項１に記載の押出し容器。
【請求項４】
前記吐出ポートは、前記プレス機構に、外部と前記収容空間とを連通するように形成されていることを特徴とする請求項１〜３のいずれかの一項に記載の押出し容器。
【請求項５】
前記胴部に前記内容物を吐出する吐出ヘッドが付設され、
前記吐出ポートは、前記吐出ヘッドを貫通して前記収容空間と連通するように形成されていることを特徴とする請求項１〜３のいずれかの一項に記載の押出し容器。
【請求項６】
前記吐出ポートには、前記吐出ポートが、前記変形面が変形すると前記内容物を吐出させるように外部と前記収容空間とを連通させる連通状態、及び、前記変形面が変形しないときは前記内容物を吐出させない閉塞状態になるように往復移動するための可動棒が取り付けられ、
前記可動棒は、前記吐出ポートより径小の棒体と前記吐出ポートの吐出口を塞ぐ径大な頭部とを有することを特徴とする請求項４又は５に記載の押出し容器。
【請求項７】
前記プレス本体は、前記収容空間側の、前記変形面と、前記摺動壁とを有するバルブ座と、前記押圧面を設けた、前記バルブ座と向かい合って一体に組立てられる押圧側の押圧体と、からなり、
前記変形面に、前記押圧体側に向かって、貫通孔付の第１の組立柱が立てられ、
前記押圧体は、前記第１の組立柱に対応して、中心穴付の第２の組立柱が立てられ、
前記バルブ座と前記押圧体とが一体に組立てられたとき、前記第１の組立柱と前記第２の組立柱とから前記ロッドに形成してなることを特徴とする請求項２に記載の押出し容器。
【請求項８】
前記胴部に前記内容物を吐出する吐出ヘッドが付設され、
前記吐出ヘッドは、上下方向に延伸される外壁を有し、前記収容空間と前記吐出ポートとを連通して前記内容物が通る通路が設けられ、前記外壁に対して前記吐出ポートが貫通する吐出管が直角に突出され、
前記吐出ヘッドにおける前記吐出管が設けられた上部が下部に対して回転可能に設けられ、
前記キャップの周面に切り欠いて上下方向に延伸されるスロットが形成されていることを特徴とする請求項３に記載の押出し容器。
【発明の詳細な説明】
【技術分野】
【０００１】
本発明は、ほしいときに押すだけで容器内に入った流動性内容物を吐出させることが可能な押出し容器に関する。
【背景技術】
【０００２】
押すだけで中に入った流動性内容物を吐出させる押出し容器は、洗剤や化粧品などに多く利用されている。従来から用いられている押出し容器としては、例えば、図８に示すものがある（特許文献参照）。この押出し容器は、胴部１１の上側に上下動可能に設けられたプレスプレート１２４と、プレスプレート１２４に連動するように設けられ、上下動により内容物を吐出させるプレス機構１２と、が設けられており、プレスプレート１２４を押して、プレス機構１２の上下動により、胴部１１内に圧力をかけ、胴部１１内に入った内容物１１１を吐出パス１１２を通して押上げると共に、吐出パス１１２における圧力により閉じ棒１３３を押出して、吐出パス１１２と連通した吐出ポート１３１から吐出する。
【先行技術文献】
【特許文献】
【０００３】
【特許文献１】台湾特許出願第98136924号明細書
【発明の概要】
【発明が解決しようとする課題】
【０００４】
この押出し容器は、プレスプレート１２４を押し下げないとき、ばね１２７の伸長によりプレス機構１２とプレスプレート１２４が上昇する。このとき、吐出パス１１２において容器の外部と内部との差圧で生じた吸引力で閉じ棒１３３を吸い込んで、吐出ポート１３１を塞いで閉じるようになっている。しかしながら、押圧座１２３、嵌め枠１２６、ばね１２７などの構成要素よりなるプレス機構１２の構成は複雑で、組立てに手間がかかる問題点がある。
【０００５】
本発明は、上記問題点に鑑みてなされたものであり、押圧用構成がシンプルで、組立てが簡単である押出し容器を提供することを目的とする。
【課題を解決するための手段】
【０００６】
上記目的を達成するために、本発明は、容器の上部を押すとプレス機構の上下動により吐出ポートを介して該容器内に入った流動性内容物を外部に吐出させる押出し容器であって、前記容器は、その上端が上向きに開口し、下端が閉塞されて流動性内容物を入れることができる収容空間を画成した有底筒状である胴部を有し、前記プレス機構は、前記容器の開口より前記胴部内に密閉かつ上下摺動可能に嵌合させたプレス本体を有し、該プレス本体の上側に押圧されて下動可能な押圧面が設けられ、該押圧面と所定の間隔をおいて設けられ前記プレス機構の上下動により変形可能な変形面を有し、前記押圧面及び前記変形面の間に、前記押圧面と前記変形面とを連結するロッドが設けられ、前記押圧面が下降すると、前記ロッドを介して前記変形面が変形して中央部が下降し、前記胴部内の内容物が推されて前記吐出ポートを経て前記内容物を吐出させることができるようになっていることを特徴とする押出し容器を提供する。
【０００７】
本発明の押出し容器では、前記プレス機構は、前記胴部内に密閉かつ上下摺動可能に嵌合させた摺動壁が更に設けられ、該摺動壁が前記変形面の周縁部と連接されて、前記押圧面の周縁部と所定の摺動距離をおいて前記押圧面側に延伸されてなり、前記変形面が変形しないとき、その中央部と周縁部とが、それぞれの上下方向に直角の左右方向の水平面より前記摺動距離より大きい曲げ距離だけ離れるように前記変形面が上向きに弧状に湾曲していることが好ましい。
【０００８】
本発明の押出し容器では、前記胴部の上端に一時係止されることができると共に前記プレス機構と連動して上下動可能に設けられたキャップを更に有することが好ましい。
本発明の押出し容器では、前記吐出ポートは、前記プレス機構に、外部と前記収容空間とを連通するように形成されることが好ましい。
【０００９】
本発明の押出し容器では、前記胴部に前記内容物を吐出する吐出ヘッドが付設され、前記吐出ポートは、前記吐出ヘッドを貫通して前記収容空間と連通するように形成されることが好ましい。
【００１０】
本発明の押出し容器では、前記吐出ポートには、前記吐出ポートが、前記変形面が変形すると前記内容物を吐出させるように外部と前記収容空間とを連通させる連通状態、及び、前記変形面が変形しないときは前記内容物を吐出させない閉塞状態になるように往復移動するための可動棒が取り付けられ、前記可動棒は、前記吐出ポートより径小の棒体と前記吐出ポートの吐出口を塞ぐ径大な頭部とを有することが好ましい。
【００１１】
本発明の押出し容器では、前記プレス本体は、前記収容空間側の、前記変形面と、前記摺動壁とを有するバルブ座と、前記押圧面を設けた、該バルブ座と向かい合って一体に組立てられる押圧側の押圧体と、からなり、前記変形面に、前記押圧体側に向かって、貫通孔付の第１の組立柱が立てられ、前記押圧体は、前記第１の組立柱に対応して、中心穴付の第２の組立柱が立てられ、前記バルブ座と前記押圧体とが一体に組立てられたとき、前記第１の組立柱と前記第２の組立柱とから前記ロッドに形成してなることが好ましい。
【００１２】
本発明の押出し容器では、前記胴部に前記内容物を吐出する吐出ヘッドが付設され、前記吐出ヘッドは、上下方向に延伸される外壁を有し、前記収容空間と前記吐出ポートとを連通して前記内容物が通る通路が設けられ、前記外壁に対して前記吐出ポートが貫通する吐出管が直角に突出され、前記吐出ヘッドにおける前記吐出管が設けられた上部が下部に対して回転可能に設けられ、前記キャップの周面に切り欠いて上下方向に延伸されるスロットが形成されていることが好ましい。
【発明の効果】
【００１３】
本発明の押出し容器によれば、ばねなどを設けなくとも容器の上部を押圧するだけで吐出ポートを開けたり、閉じたりすることができ、且つ構成要素が少なくなり、組立ても簡単になる。
【図面の簡単な説明】
【００１４】
【図１】本発明の第１の実施形態にかかる押出し容器を示す分解斜視図である。
【図２】図１の押出し容器を示す分解縦断面図である。
【図３】図１の押出し容器における吐出ヘッドの収納状態を示す組立縦断面図である。
【図４】図３において押出し容器を押圧する準備状態を示す組立縦断面図である。
【図５】図４において押圧後の内容物の吐出状態を示す組立縦断面図である。
【図６】本発明の第２の実施形態にかかる押出し容器を示す組立縦断面図である。
【図７】本発明の第３の実施形態にかかる押出し容器を示す組立縦断面図である。
【図８】従来の押出し容器の一例を示す縦断面図である。
【発明を実施するための形態】
【００１５】
以下、本発明の押出し容器におけるいくつかの実施形態について図面を参照して説明する。なお、同一構成及び機能を有する構成要素については、同一番号を付してその説明を省略する。
【００１６】
(第１の実施形態)
図１〜図５を参照して、本発明の本実施形態にかかる押出し容器について説明する。図示の如く、本発明の押出し容器１は、容器１の上部を押すとプレス機構３の上下動により該容器１内に収容された流動性内容物を外部に吐出させるものであって、概ね胴部２と、プレス機構３と、キャップ４と、吐出ヘッド５と、を備えている。
【００１７】
胴部２は、その上端２ａが上向きに開口し、下端２ｂが閉塞されている、例えば底壁２１２と、該底壁２１２の周縁から連続的に上向きに突出してなる容器周壁２１３と、により流動性内容物を入れることができる収容空間２２を画成した有底筒状である。本実施形態において、吐出ヘッド５を取り付けるために容器周壁２１３の上端縁より突片２１４が延伸されている。この実施形態において、胴部２はほぼ円筒状である。
【００１８】
プレス機構３は、容器１の開口２２１より容器１内に密閉かつ上下摺動可能に嵌合されているほぼ筒状プレス本体３０を有する。該プレス本体３０は、バルブ座３１と該バルブ座３１と一体に組立てられた押圧体３２とからなっている。バルブ座３１は、プレス機構３の上下動により例えばやや平坦状に変形可能な変形面３１２と、変形面３１２の周縁と連接されて、押圧体３２と所定の間隔Ｈ２をおくように上向きに延伸される、容器周壁２１３の内周面に上下摺動可能に嵌合された摺動壁３１１と、を有する。変形面３１２に、押圧体３２と組合わせるため、貫通孔３１４付の第１の組立柱３１５が押圧体３２側に向かって立てられ、また、内容物が流出するための内孔３１０付の連通柱３１３が該第１の組立柱３１５から離れて突出されている。
【００１９】
変形面３１２は、本実施形態において、変形しないとき、その中央部と周縁部とのそれぞれの上下方向に直角の左右方向の水平面が互いに第１の距離Ｈ１をおいて変形面３１２の中央部が上側に、その周縁部が下側に向かうように常時全体が凸弧状に湾曲している。
【００２０】
押圧体３２は、摺動壁３１１と所定の間隔Ｈ２をおいて例えば平坦状に形成された押圧面３２１を設けている。押圧体３２は、第１の組立柱３１５に対応して、バルブ座３１と組合わせるため、上端が開口した中心穴３２０付の第２の組立柱３２３がバルブ座３１側に向かって立てられ、該組立柱３２３の下端部は径方向につば部３２３ａが突出している。
【００２１】
なお、バルブ座３１と押圧体３２とを良好に組立てるために、第１の組立柱３１５内に貫通孔３１４の内径の違いにより段部３１５ａが形成され、第２の組立柱３２２の外周面に切り欠いて例えば環状溝部３２５が形成されている。第１の組立柱３１４と第２の組立柱３２３とを組立てると、第１の組立柱３１５が第２の組立柱３２３の溝部３２５に嵌合されて、段部３１５ａとつば部３２３ａによって互いに係合されて位置決めされる。第１の組立柱３１５と第２の組立柱３２３とは一体に組立てられたとき、押圧面３２１と変形面３１２との間を連結したロッド３０１となる。また、第１の組立柱３１５と第２の組立柱３２３を１本のロッド３０１に組立てた後、少なくとも上端開口が閉塞した繋ぎチューブ３３が挿入される。
【００２２】
この実施形態では、変形面３１２の変形により内容物をよく圧縮する場合、第１の距離Ｈ１として第２の距離Ｈ２よりも大きくすることが好ましい。
【００２３】
押圧面３２１は、この実施形態においてほぼ平坦状に形成されており、キャップ４に密接に外嵌・係合される環状縁部３２２が立ち上がり延伸され、その周縁の一部を径方向に内向きに弧状に切り欠いて吐出ヘッド５を取り付けるための取付穴３２４が形成されている。
【００２４】
キャップ４は、平坦状の上壁４１と該上壁４１の周縁から連続的に下向きに突出してなる周壁４２とによりなるほぼ中空状筒体を有し、取付穴３２４を設けた押圧面３２１の周縁に対応して該周壁４２の一部が内向きに凹むように形成されており、該周壁４２の凹弧部４２１に上下方向に延伸されるスロット４２２が形成されている。
【００２５】
吐出ヘッド５は、この実施形態において、取付穴３２４に嵌合される取付座５１と、該取付座５１に対して回動可能に設けられた回動座５２と、からなっている。取付座５１は、内容物が吐出する連通ロード５１１が形成された仕切壁５１２を有し、その下端よりバルブ座３１の内孔３１０に対応して下孔５１１ａが貫通された孔壁５１２ａが延伸されている。仕切壁５１２の外側に、突片２１４が挿入されるスロット５１３ａが設けられた定位壁５１３が形成されている。この形態において、内孔３１０と下孔５１１ａは、所定の長さがあるチューブ５３により接続されている。
【００２６】
回動座５２は、取付座５１の連通ロード５１１に延伸されて挿入される挿入壁５２３を有し、挿入壁５２３には下孔５１１ａと連通する通路５２２が設けられ、また、取付座５１上に配置される外壁５２１が挿入壁５２３の周りに挿入壁５２３から続き、間隔をおいて形成されている。外壁５２１に続いて外壁５２１より吐出管５２５が突き出るように延伸されており、吐出管５２５には、通路５２２と外部とが連通する、内容物を吐出する吐出ポート５２４を設けている。
【００２７】
吐出ポート５２４には、変形面３１２が変形すると内容物を吐出させるように外部と収容空間２２とを連通させる連通状態、及び、変形面３１２が変形しないときは内容物を吐出させないための閉塞状態になるように吐出ポート５２４を往復移動する可動棒５４を取り付けている。可動棒５４は、吐出ポート５２４より径小の棒体５４１と吐出ポート５２４の吐出口を塞ぐ径大な頭部５４２を有する。
【００２８】
回動座５２は、取付座５１に対して回転することによって、吐出管５２５が外側に向く（図４参照）吐出位置と、吐出管５２５がキャップ４のスロット４２２を経てキャップ４内に収納された収納位置と、に変わることができる。また、吐出管５２５がキャップ４内に収納されることによって、キャップ４を誤って不意に押しても内容物が出ないようにすることもできる。
【００２９】
以下、本実施形態の押出し容器の使用について図３〜図５を参照して説明する。キャップ４を一先ず取り外して吐出管５２５を外側に向かせるように回動座５２を取付座５１に対して回す。そして、必ずしもキャップ４を元に戻す必要はないが、キャップ４をした状態で押圧すると、押圧面３２１が下降してロッド３０１が連動して下降し、変形面３１２が推されてほぼ平坦状に変形すると共に、プレス機構３の全体が下降する。プレス機構３の下降によって胴部内の圧力が上昇し、その圧力で内容物が推されると共に、可動棒５４も推されて頭部５４２が吐出ポート５２４の外に出るように移動する。そのようにすると、図５のように、内孔３１０、チューブ５３、通路５２２、吐出ポート５２４を介して外部と収容空間２２とが連通して内容物が吐出されることができる。
【００３０】
キャップ４をした状態で押圧しないとき、変形面３１２が凸弧状に回復されると同時にプレス機構３が上昇する。変形面３１２が凸弧状に戻ったとき、内容物は押圧されず、容器内の圧力差によって内孔３１０、チューブ５３、通路５２２、吐出ポート５２４にある内容物を容器内に吸い込むと共に可動棒５４も吸引されて吐出ポート５２４内に退避して、頭部５４２で吐出ポート５２４が閉塞される。
【００３１】
以上により、本実施形態の押出し容器は、ばねなどを設けなくとも押圧体又はキャップを押圧するだけで吐出ポート５２４を開けたり、閉じたりすることができ、且つ構成要素が少なくなり、組立ても簡単になる。
【００３２】
(第２の実施形態)
図６に示すように、この実施形態の押出し容器では、第１の実施形態の押出し容器と類似するが、概ねプレス機構３とキャップ４に切り欠きを形成しないなどの点において異なっている。
【００３３】
胴部２Ａの周壁２１は、内容物を入れる収容空間２２を画成しており、周壁２１の一部に続いて該一部と吐出ポート５２４と連通する通路２３を画成する間隔をおいて外壁２１１が設けられ、通路２３と収容空間２２との間の周壁２１に内容物が収容空間２２から通路２３側に流れる通し穴２１６が開いている。吐出ヘッド５のヘッド壁が通路２３に挿入して回転可能に定位されている。押圧体３２の押圧面３２１が凹弧状に湾曲している。
【００３４】
第１の組立柱３１５内に貫通孔３１４の内径の違いにより段部３１５ａが形成され、第２の組立柱３２２の下端部は、段部３１５ａに引掛けて抜け止めるつば３２２ｂが径方向に突出して設けてある。
【００３５】
以上のように、この実施形態の押出し容器によれば、前記第１の実施の形態の押出し容器よりも構成要素が少なく、組立てが簡単である。
(第３の実施形態)
【００３６】
図７に示すように、この実施形態の押出し容器では、第２の実施形態の押出し容器と類似するが、第２の実施形態における吐出ヘッド５を設けずに、ロッド３０１に挿入した繋ぎチューブ３３Ａを利用して内容物を吐出する点に異なっている。この実施形態において、繋ぎチューブ３３Ａは両端が開口し、その内部に内容物が吐出する吐出ポート３３０が形成されている。また、押圧体３２のくぼんだ押圧面３２１Ｂは液貯め部としてなる。
【００３７】
なお、図示しないが、この実施形態の吐出ポート３３０においても前記可動棒を配置することができる。
【００３８】
以上のように、この実施形態の押出し容器によれば、前記実施の形態の押出し容器よりも構成要素が少なく、組立てが簡単である。
【００３９】
以上の説明により、本発明の押出し容器によれば、押圧面３２１（３２１Ｂ）が下降すると、ロッド３０１を介して変形面３１２が連動して変形すると共に下降しながら、容器内の内容物を推して吐出ポート５２４（３３０）を経て内容物を吐出させることができる。
【符号の説明】
【００４０】
１  押出し容器
２  胴部
２１１  外壁
２１２  底壁
２１３  容器周壁
２１４  突片
２２  収容空間
２２１  開口
２ａ  上端
２ｂ  下端
３  プレス機構
３０  プレス本体
３０１  ロッド
３１  バルブ座
３１０  内孔
３１１  摺動壁
３１２  変形面
３１３  連通柱
３１４  貫通孔
３１５  第１の組立柱
３１５ａ  段部
３２  押圧体
３２０  中心穴
３２１  押圧面
３２２  縁部
３２３  第２の組立柱
３２３ａ  つば部
３２４  取付穴
３２５  溝部
３３  繋ぎチューブ
４  キャップ
４１  上壁
４２  周壁
４２１  凹弧部
４２２  スロット
５  吐出ヘッド
５１  取付座
５１１  連通ロード
５１１ａ  下孔
５１２  仕切壁
５１２ａ  孔壁
５１３  定位壁
５１３ａ  スロット
５２  回動座
５２１  外壁
５２２  通路
５２３  挿入壁
３３０、５２４  吐出ポート
５２５  吐出管
５３  チューブ
５４  可動棒
５４１  棒体
５４２  頭部
Ｈ１、Ｈ２  間隔
【図１】
2012012111.tif 000003
【図２】
2012012111.tif 000004
【図３】
2012012111.tif 000005
【図４】
2012012111.tif 000006
【図５】
2012012111.tif 000007
【図６】
2012012111.tif 000008
【図７】
2012012111.tif 000009
【図８】
2012012111.tif 000010